(57)【要約】【課題】引掛シーリングボディに不完全に取り付けられた状態であることをユーザが気づきやすい照明器具用アダプタを提供する。【解決手段】引掛シーリングボディ２００の取り付け部２５０に取り付けられ、前記取り付け部に取り付けられた状態で照明器具の器具本体３１０に設けられた取り付け孔に挿入される照明器具用アダプタ１００であって、取り付け面を有し、取り付け面が取り付け部２５０の主面に対向した状態で取り付け部２５０に回動されて取り付けられる筐体１１５を備え、筐体１１５と取り付け部２５０とを一体として平面視したときの外形である全体外形は、筐体１１５が所定の回動量で取り付け部２５０に取り付けられている第１の状態と、筐体１１５が所定の回動量とは異なる回動量で取り付け部２５０に取り付けられている第２の状態とで異なる。【選択図】図７
2015097165.tif 000002
【特許請求の範囲】
【請求項１】
引掛シーリングボディの取り付け部に取り付けられ、前記取り付け部に取り付けられた状態で照明器具の器具本体に設けられた取り付け孔に挿入される照明器具用アダプタであって、
取り付け面を有し、前記取り付け面が前記取り付け部の主面に対向した状態で前記取り付け部に回動されて取り付けられる筐体を備え、
前記筐体と前記取り付け部とを一体として平面視したときの外形である全体外形は、前記筐体が所定の回動量で前記取り付け部に取り付けられている第１の状態と、前記筐体が前記所定の回動量とは異なる回動量で前記取り付け部に取り付けられている第２の状態とで異なる
照明器具用アダプタ。
【請求項２】
前記筐体は、前記取り付け部に取り付けられた状態で前記取り付け部とともに前記取り付け孔に挿入され、
前記第１の状態における前記全体外形は、前記取り付け孔に挿入可能な形状であり、
前記第２の状態における前記全体外形は、前記取り付け孔に挿入不可能な形状である
請求項１に記載の照明器具用アダプタ。
【請求項３】
前記第１の状態において、前記筐体の平面視形状と、前記取り付け部の平面視形状とは一致する
請求項２に記載の照明器具用アダプタ。
【請求項４】
前記取り付け部の平面視形状は、円形の一部が外側に突出した形状であり、
前記筐体の平面視形状は、円形の一部が外側に突出した形状であり、
前記筐体の平面視形状のうちの外側に突出した前記一部と、前記取り付け部の平面視形状のうちの外側に突出した前記一部との位置関係が前記筐体の回動量に応じて変化することによって、前記全体外形は、前記第１の状態と前記第２の状態とで異なる
請求項１または２に記載の照明器具用アダプタ。
【請求項５】
前記第１の状態においては、前記筐体の平面視形状のうちの外側に突出した前記一部と、前記取り付け部の平面視形状のうちの外側に突出した前記一部とが平面視した場合に重なる
請求項４に記載の照明器具用アダプタ。
【請求項６】
前記取り付け部は、扁平円柱状の取り付け部本体と、前記取り付け部本体の側面に設けられ、前記筐体の平面視形状のうちの外側に突出した前記一部を構成する凸部とを有し、
前記筐体は、略有底円筒状の本体部と、前記本体部の側面に設けられ、前記取り付け部の平面視形状のうちの外側に突出した前記一部を構成する凸部とを有し、
前記第１の状態においては、前記筐体の前記凸部と、前記取り付け部の前記凸部とが平面視した場合に重なる
請求項５に記載の照明器具用アダプタ。
【請求項７】
前記取り付け部に取り付けられた前記筐体の前記凸部を側方から見た場合の形状は、前記取り付け部と反対の方向に向かう凸形状である
請求項６に記載の照明器具用アダプタ。
【請求項８】
前記凸形状は、前記取り付け部と反対の方向に向かうにつれて幅が狭くなる形状である
請求項７に記載の照明器具用アダプタ。
【請求項９】
前記取り付け部の平面視形状は、円形の一部が内側に凹んだ形状であり、
前記筐体の平面視形状は、円形の一部が内側に凹んだ形状であり、
前記筐体の平面視形状のうちの内側に凹んだ前記一部と、前記取り付け部の平面視形状のうちの内側に凹んだ前記一部との位置関係が前記筐体の回動量に応じて変化することによって、前記全体外形は、前記第１の状態と前記第２の状態とで異なる
請求項１または２に記載の照明器具用アダプタ。
【請求項１０】
前記第１の状態においては、前記筐体の平面視形状のうちの内側に凹んだ前記一部と、前記取り付け部の平面視形状のうちの内側に凹んだ前記一部とが平面視した場合に重なる
請求項９に記載の照明器具用アダプタ。
【請求項１１】
請求項１〜５のいずれか１項に記載の照明器具用アダプタに接続される照明器具であって、
前記第１の状態の前記筐体及び前記取り付け部が挿入される、前記取り付け孔の形状に応じた筒状の筒状部を有する器具本体を備える
照明器具。
【請求項１２】
請求項６〜８のいずれか１項に記載の照明器具用アダプタに接続される照明器具であって、
前記第１の状態の前記筐体及び前記取り付け部が挿入される、前記取り付け孔の形状に応じた筒状の筒状部を有する器具本体を備え、
前記筒状部は、前記第１の状態の前記筐体の前記凸部及び前記取り付け部の前記凸部が挿入される溝を形成する溝部を有し、
前記筒状部の前記溝部を含む側面には、前記溝部よりも幅が広い開口部が設けられる
照明器具。
【請求項１３】
前記溝の周方向の最小幅は、前記第１の状態の前記筐体の前記凸部及び前記取り付け部の前記凸部の周方向の最大幅と略同一である
請求項１２に記載の照明器具。
【請求項１４】
請求項６〜８のいずれか１項に記載の照明器具用アダプタに接続される照明器具であって、
円形の前記取り付け孔を形成する円筒部を有する器具本体を備え、
前記円筒部には、（１）一方の端から他方の端に向けて前記第１の状態の前記筐体及び前記取り付け部が挿入され、（２）前記第１の状態の前記筐体の前記凸部及び前記取り付け部の前記凸部が挿入される、前記一方の端から切り欠かれた切り欠き部が設けられる
照明器具。
【請求項１５】
前記切り欠き部の周方向の最小幅は、前記第１の状態の前記筐体の前記凸部及び前記取り付け部の前記凸部の周方向の最大幅と略同一である
請求項１４に記載の照明器具。
【請求項１６】
前記円筒部には、さらに、前記切り欠き部の前記他方の端側の端部に連結され、周方向の幅が前記切り欠き部の周方向の幅以上である開口部が設けられる
請求項１４または１５に記載の照明器具。
【請求項１７】
前記切り欠き部の前記一方の端側の端部は、前記他方の端側に向かうにつれて幅が狭くなるテーパ状である
請求項１４〜１６のいずれか１項に記載の照明器具。
【請求項１８】
前記切り欠き部の前記他方の端側の端部は、前記一方の端側に向かうにつれて幅が狭くなるテーパ状である
請求項１４〜１７のいずれか１項に記載の照明器具。
【請求項１９】
前記切り欠き部の前記他方の端側の端の周方向の幅は、前記開口部の前記一方の端側の端における周方向の幅と同一である
請求項１８に記載の照明器具。
【請求項２０】
天井に取り付けられた前記取り付け部の前記凸部を側方から見た場合の形状は、前記天井に向かう凸形状である
請求項１４〜１９のいずれか１項に記載の照明器具。
【請求項２１】
前記取り付け部の前記凸部の前記凸形状は、前記天井に向かうにつれて幅が狭くなる形状である
請求項２０に記載の照明器具。
【請求項２２】
前記器具本体が、前記取り付け部に取り付けられた前記照明器具用アダプタに接続された状態において、前記器具本体及び前記取り付け部を側方から見た場合、前記取り付け部の前記凸部は、前記切り欠き部の前記他方の端部側の端の幅によって規定される範囲内に位置する
請求項２０または２１に記載の照明器具。
【発明の詳細な説明】
【技術分野】
【０００１】
本発明は、天井に配設された引掛シーリングボディに照明器具を接続するための照明器具用アダプタ等に関する。
【背景技術】
【０００２】
従来、天井に配設された引掛シーリングボディに照明器具を電気的及び機械的に接続するための照明器具用アダプタが知られている（例えば、特許文献１参照）。
【０００３】
一方で、近年、発光素子としてＬＥＤを用いた照明器具（ＬＥＤ照明）の普及が進んでいる。ＬＥＤ照明は、寿命が従来の照明器具より長いため、長期間に渡って使用され続けると考えられる。また、ＬＥＤ照明は、従来の照明器具よりも重量が重いことが多い。
【０００４】
よって、照明器具用アダプタによって引掛シーリングボディに取り付けられるＬＥＤ照明（例えば、ＬＥＤを用いたシーリングライト）では、施工後にＬＥＤ照明が落下することが従来の照明器具よりも一層懸念される。つまり、照明器具用アダプタのＬＥＤシーリングライトへの使用を考慮した場合、照明器具用アダプタには、さらに安全で確実な取り付け構造が求められる。
【先行技術文献】
【特許文献】
【０００５】
【特許文献１】特開２００７−２５０５１２号公報
【発明の概要】
【発明が解決しようとする課題】
【０００６】
上記のような照明器具用アダプタを用いる照明器具の落下は、照明器具用アダプタの引掛シーリングボディへの取り付けが不完全であることが主な原因である。
【０００７】
そこで、本発明は、引掛シーリングボディに不完全に取り付けられた状態であることをユーザが気づきやすい照明器具用アダプタ等を提供する。
【課題を解決するための手段】
【０００８】
本発明の一態様に係る照明器具用アダプタは、引掛シーリングボディの取り付け部に取り付けられ、前記取り付け部に取り付けられた状態で照明器具の器具本体に設けられた取り付け孔に挿入される照明器具用アダプタであって、取り付け面を有し、前記取り付け面が前記取り付け部の主面に対向した状態で前記取り付け部に回動されて取り付けられる筐体を備え、前記筐体と前記取り付け部とを一体として平面視したときの外形である全体外形は、前記筐体が所定の回動量で前記取り付け部に取り付けられている第１の状態と、前記筐体が前記所定の回動量とは異なる回動量で前記取り付け部に取り付けられている第２の状態とで異なる。
【０００９】
また、前記筐体は、前記取り付け部に取り付けられた状態で前記取り付け部とともに前記取り付け孔に挿入され、前記第１の状態における前記全体外形は、前記取り付け孔に挿入可能な形状であり、前記第２の状態における前記全体外形は、前記取り付け孔に挿入不可能な形状であってもよい。
【００１０】
また、前記第１の状態において、前記筐体の平面視形状と、前記取り付け部の平面視形状とは一致してもよい。
【００１１】
また、前記取り付け部の平面視形状は、円形の一部が外側に突出した形状であり、前記筐体の平面視形状は、円形の一部が外側に突出した形状であり、前記筐体の平面視形状のうちの外側に突出した前記一部と、前記取り付け部の平面視形状のうちの外側に突出した前記一部との位置関係が前記筐体の回動量に応じて変化することによって、前記全体外形は、前記第１の状態と前記第２の状態とで異なってもよい。
【００１２】
また、前記第１の状態においては、前記筐体の平面視形状のうちの外側に突出した前記一部と、前記取り付け部の平面視形状のうちの外側に突出した前記一部とが平面視した場合に重なってもよい。
【００１３】
また、前記取り付け部は、扁平円柱状の取り付け部本体と、前記取り付け部本体の側面に設けられ、前記筐体の平面視形状のうちの外側に突出した前記一部を構成する凸部とを有し、前記筐体は、略有底円筒状の本体部と、前記本体部の側面に設けられ、前記取り付け部の平面視形状のうちの外側に突出した前記一部を構成する凸部とを有し、前記第１の状態においては、前記筐体の前記凸部と、前記取り付け部の前記凸部とが平面視した場合に重なってもよい。
【００１４】
また、前記取り付け部に取り付けられた前記筐体の前記凸部を側方から見た場合の形状は、前記取り付け部と反対の方向に向かう凸形状であってもよい。
【００１５】
また、前記凸形状は、前記取り付け部と反対の方向に向かうにつれて幅が狭くなる形状であってもよい。
【００１６】
また、前記取り付け部の平面視形状は、円形の一部が内側に凹んだ形状であり、前記筐体の平面視形状は、円形の一部が内側に凹んだ形状であり、前記筐体の平面視形状のうちの内側に凹んだ前記一部と、前記取り付け部の平面視形状のうちの内側に凹んだ前記一部との位置関係が前記筐体の回動量に応じて変化することによって、前記全体外形は、前記第１の状態と前記第２の状態とで異なってもよい。
【００１７】
また、前記第１の状態においては、前記筐体の平面視形状のうちの内側に凹んだ前記一部と、前記取り付け部の平面視形状のうちの内側に凹んだ前記一部とが平面視した場合に重なってもよい。
【００１８】
また、本発明の一態様に係る照明器具は、上記いずれかの態様の照明器具用アダプタに接続される照明器具であって、前記第１の状態の前記筐体及び前記取り付け部が挿入される、前記取り付け孔の形状に応じた筒状の筒状部を有する器具本体を備える。
【００１９】
また、本発明の一態様に係る照明器具は、上記いずれかの態様の照明器具用アダプタに接続される照明器具であって、前記第１の状態の前記筐体及び前記取り付け部が挿入される、前記取り付け孔の形状に応じた筒状の筒状部を有する器具本体を備え、前記筒状部は、前記第１の状態の前記筐体の前記凸部及び前記取り付け部の前記凸部が挿入される溝を形成する溝部を有し、前記筒状部の前記溝部を含む側面には、前記溝部よりも幅が広い開口部が設けられる。
【００２０】
また、前記溝の周方向の最小幅は、前記第１の状態の前記筐体の前記凸部及び前記取り付け部の前記凸部の周方向の最大幅と略同一であってもよい。
【００２１】
また、本発明の一態様に係る照明器具は、上記いずれかの態様の照明器具用アダプタに接続される照明器具であって、円形の前記取り付け孔を形成する円筒部を有する器具本体を備え、前記円筒部には、（１）一方の端から他方の端に向けて前記第１の状態の前記筐体及び前記取り付け部が挿入され、（２）前記第１の状態の前記筐体の前記凸部及び前記取り付け部の前記凸部が挿入される、前記一方の端から切り欠かれた切り欠き部が設けられる。
【００２２】
また、前記切り欠き部の周方向の最小幅は、前記第１の状態の前記筐体の前記凸部及び前記取り付け部の前記凸部の周方向の最大幅と略同一であってもよい。
【００２３】
また、前記円筒部には、さらに、前記切り欠き部の前記他方の端側の端部に連結され、周方向の幅が前記切り欠き部の周方向の幅以上である開口部が設けられてもよい。
【００２４】
また、前記切り欠き部の前記一方の端側の端部は、前記他方の端側に向かうにつれて幅が狭くなるテーパ状であってもよい。
【００２５】
また、前記切り欠き部の前記他方の端側の端部は、前記一方の端側に向かうにつれて幅が狭くなるテーパ状であってもよい。
【００２６】
また、前記切り欠き部の前記他方の端側の端の周方向の幅は、前記開口部の前記一方の端側の端における周方向の幅と同一であってもよい。
【００２７】
また、天井に取り付けられた前記取り付け部の前記凸部を側方から見た場合の形状は、前記天井に向かう凸形状であってもよい。
【００２８】
また、前記取り付け部の前記凸部の前記凸形状は、前記天井に向かうにつれて幅が狭くなる形状であってもよい。
【００２９】
また、前記器具本体が、前記取り付け部に取り付けられた前記照明器具用アダプタに接続された状態において、前記器具本体及び前記取り付け部を側方から見た場合、前記取り付け部の前記凸部は、前記切り欠き部の前記他方の端部側の端の幅によって規定される範囲内に位置してもよい。
【発明の効果】
【００３０】
本発明によれば、引掛シーリングボディに不完全に取り付けられた状態であることをユーザが気づきやすい照明器具用アダプタが実現される。
【図面の簡単な説明】
【００３１】
【図１】図１は、実施の形態１に係る照明器具用アダプタを上面側から見た外観斜視図である。
【図２】図２は、実施の形態１に係る照明器具用アダプタを下面側から見た外観斜視図である。
【図３】図３は、実施の形態１に係る照明器具用アダプタの分解斜視図である。
【図４】図４は、引掛シーリングボディの外観斜視図である。
【図５】図５は、実施の形態１に係る照明器具用アダプタへの照明器具の取り付け方法及び取り外し方法を説明するための図である。
【図６】図６は、第１の状態と、第２の状態とのそれぞれにおいて、筐体と取り付け部とを合わせて平面視したときの外形を説明するための図である。
【図７】図７は、器具本体（照明器具）の取り付け孔部分の詳細構成を説明するための斜視図である。
【図８】図８は、筒状部の側面に開口部が設けられた器具本体を示す第１の図である。
【図９】図９は、筒状部の側面に開口部が設けられた器具本体を示す第２の図である。
【図１０】図１０は、筒状部の側面に開口部が設けられた器具本体を示す第３の図である。
【図１１】図１１は、筒状部のうちの円筒部のみを備える器具本体を示す図である。
【図１２】図１２は、図１１の開口部付近の拡大図である。
【図１３】図１３は、切り欠き部の別の形状を示す図である。
【図１４】図１４は、凸部に代えて凹部が設けられた照明器具用アダプタと、これに対応する取り付け孔が設けられた器具本体（照明器具）を示す図である。
【図１５】図１５は、筐体の平面視形状と、取り付け部の平面視形状とが異なる場合の一例を示す模式図である。
【図１６】図１６は、平面視形状が矩形の筐体及び取り付け部を示す模式図である。
【発明を実施するための形態】
【００３２】
（本発明の基礎となった知見）
従来、照明器具用アダプタを用いる照明器具の落下を防止するための様々な技術が提案されている。特許文献１には、照明器具用アダプタの引掛シーリングボディへの取り付けが不完全な場合に、照明器具を照明器具用アダプタに取り付けることができない構造が開示されている。
【００３３】
しかしながら、特許文献１に記載のような構造では、ユーザは、照明器具が取り付けられない原因が分からないため、照明器具を無理に照明器具用アダプタに取り付けようとする可能性があり、照明器具が破損する危険性がある。
【００３４】
そこで、本発明は、照明器具用アダプタが引掛シーリングボディに不完全に取り付けられた状態であることをユーザが気づきやすい照明器具用アダプタを提供する。
【００３５】
以下、実施の形態に係る照明器具用アダプタについて、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００３６】
なお、各図は模式図であり、必ずしも厳密に図示されたものではない。また、各図において、実質的に同一の構成に対しては同一の符号を付しており、重複する説明は省略または簡略化される場合がある。
【００３７】
（実施の形態１）
以下、実施の形態１に係る照明器具用アダプタについて説明する。なお、以下の実施の形態では、引掛シーリングボディ、照明器具用アダプタ、及び照明器具が天井に取り付けられた状態において天井側を上側、床面側を下側と表現する。また、以下の説明では、特に断りのない限り、「平面視」とは、引掛シーリングボディ、照明器具用アダプタ、及び照明器具が天井に取り付けられた状態において天井面または床面に垂直な方向（回動軸方向）から見ることを意味する。
【００３８】
［照明器具用アダプタ及び引掛シーリングボディの構造］
まず、実施の形態１に係る照明器具用アダプタ及び引掛シーリングボディの構造について説明する。
【００３９】
図１は、実施の形態１に係る照明器具用アダプタを上面側から見た外観斜視図である。図２は、実施の形態１に係る照明器具用アダプタを下面側から見た外観斜視図である。図３は、実施の形態１に係る照明器具用アダプタの分解斜視図である。
【００４０】
図４は、引掛シーリングボディの外観斜視図である。図４の（ａ）は、引掛シーリングボディを上面側から見た図であり、図４の（ｂ）は、引掛シーリングボディを下面側から見た図である。なお、図１〜図４では、部材同士を固定するねじについては、図示が省略される。
【００４１】
照明器具用アダプタ１００は、筐体１１５（本体部１１０、カバー１５５、及び凸部１８５）と、端子１２０ａ及び１２０ｂと、係止部材１３０ａ及び１３０ｂと、ロック解除ボタン１４０と、接続部１５０とを備える。また、照明器具用アダプタ１００は、レバー１６０ａ及び１６０ｂと、ねじりばね１７０と、ロック部１８０と、コイルばね１９０とを備える。
【００４２】
一方、引掛シーリングボディ２００は、ボディ２１０と、取り付け部２５０（本体部２４５（取り付け部本体）及び凸部２８５）、ねじ孔２２０ａ及び２２０ｂと、端子挿入孔２３０（挿入口２３１及びガイド孔２３２）と、端子挿入孔２４０（挿入口２４１及びガイド孔２４２）とを備える。また、図示されないが、引掛シーリングボディ２００は、ボディ２１０の内部に端子１２０ａ及び端子１２０ｂを保持する端子受け部を備える。
【００４３】
ここで、取り付け部２５０は、引掛シーリングボディ２００のうち筐体１１５の上面に対向する面を構成する部分である。また、取り付け部２５０は、引掛シーリングボディ２００のうち、平面視した場合にボディ２１０の円形よりも径が大きい扁平円柱状の本体部２４５（径大部）と、凸部２８５とからなる。実施の形態１では、平面視した場合の引掛シーリングボディ２００の本体部２４５（取り付け部２５０）の直径は、平面視した場合の筐体１１５の本体部１１０（筐体１１５）の直径と同一である。なお、ここでの、「同一」とは、製造等により生じる誤差を含めて実質的に同一であることを意味する。
【００４４】
また、取り付け部２５０の平面視形状は、円形の一部が凸部２８５に応じて外側に突出した形状である。凸部２８５は、引掛シーリングボディ２００の特徴構成であり、凸部２８５の機能については後述する。
【００４５】
照明器具用アダプタ１００の引掛シーリングボディ２００への取り付け方法は、以下の通りである。なお、引掛シーリングボディ２００は、ねじ孔２２０ａ及び２２０ｂに挿入されるねじによって天井面に取り付けられているものとする。
【００４６】
照明器具用アダプタ１００は、筐体１１５の上面（以下、取り付け面とも記載する）が引掛シーリングボディ２００の下面、すなわち、取り付け部２５０の主面に対向した状態で取り付けられる。
【００４７】
具体的には、まず、ユーザは、照明器具用アダプタ１００の端子１２０ａを取り付け部２５０の主面に設けられた挿入口２３１に挿入し、照明器具用アダプタ１００の端子１２０ｂを取り付け部２５０の主面に設けられた挿入口２４１に挿入する。このとき、照明器具用アダプタ１００の筐体１１５の上面と取り付け部２５０の主面（引掛シーリングボディ２００の下面）とが接触（当接）した状態となり、ロック爪部１８０ａが引掛シーリングボディ２００の下面によって押し下げられ、筐体１１５の内部に没入する。
【００４８】
次に、ユーザは、下面側から見て、引掛シーリングボディ２００に対して照明器具用アダプタ１００を時計回りに回動させる。これにより、端子１２０ａは、ガイド孔２３２に沿って移動し、端子１２０ｂは、ガイド孔２４２に沿って移動する。端子１２０ａがガイド孔２３２の終端に達し、端子１２０ｂがガイド孔２４２の終端に達するまで照明器具用アダプタ１００が回動されると、端子１２０ａ及び１２０ｂは、ボディ２１０の内部に設けられた端子受け部に保持される。これにより、引掛シーリングボディ２００と照明器具用アダプタ１００とは、電気的及び機械的に接続される。
【００４９】
また、端子１２０ａがガイド孔２３２の終端に達し、端子１２０ｂがガイド孔２４２の終端に達すると、ロック爪部１８０ａの位置が、挿入口２４１の位置に一致する。したがって、ロック爪部１８０ａは、コイルばね１９０の付勢力（弾性力）により、筐体１１５の上面から突出して挿入口２４１に嵌まり込む。この状態が、照明器具用アダプタ１００が取り付け部２５０（引掛シーリングボディ２００）に正常に取り付けられた状態（所定の位置関係で取り付けられた状態）である。
【００５０】
ここで、所定の位置関係とは、言い換えれば、端子１２０ａ及び１２０ｂを挿入口２３１及び２４１にそれぞれ挿入した後、筐体１１５を引掛シーリングボディ２００に対して所定の角度（所定の回動量）回した状態の筐体１１５と引掛シーリングボディ２００との位置関係である。
【００５１】
この状態では、照明器具用アダプタ１００の引掛シーリングボディ２００に対する取り外し方向の（反時計回りの）回動は、ロック爪部１８０ａと挿入口２４１の内周面とが当接することによりロックされる。
【００５２】
続いて、照明器具用アダプタ１００の各構成要素について図１〜図３を用いてさらに詳細に説明する。
【００５３】
本体部１１０は、下面側が開口した略有底円筒状（略扁平円筒状）の部材である。本体部１１０は、例えば、絶縁性を有する合成樹脂材料により形成され、カバー１５５とともに照明器具用アダプタ１００の筐体１１５を構成する。
【００５４】
本体部１１０の上面に設けられた矩形状の２つの開口からは、端子１２０ａ及び１２０ｂがそれぞれ突出している。また、本体部１１０の上面に設けられた、上記２つの開口とは異なる矩形状の開口からは、ロック爪部１８０ａが突出する。
【００５５】
本体部１１０の側面には、開口１１０ａ及び開口１１０ｂが設けられる。開口１１０ａからは、係止部材１３０ａが本体部１１０の外側に向けて突出している。開口１１０ｂからは、係止部材１３０ｂが本体部１１０の外側に向けて突出している。本体部１１０の内側には、接続部１５０が設けられている。
【００５６】
また、本体部１１０の側面のうちの上面側には、凸部１８５が設けられている。凸部１８５は、筐体１１５のうち、本体部１１０の側面から本体部１１０の側方（平面視した場合の外側）に向けて延出した略直方体状の部分である。したがって、筐体１１５の平面視形状は、円形の一部が凸部１８５に応じて外側に突出した形状である。凸部１８５は、照明器具用アダプタ１００の特徴構成であり、詳細は後述する。
【００５７】
接続部１５０（コネクタ挿入口）は、本体部１１０のうち上面を構成する部分から、下面（以下、接続面とも記載する）側に向けて筒状に延出した部分である。接続部１５０は、カバー１５５の中央に設けられた開口を通じて筐体１１５から露出し、照明器具のコネクタが抜き挿し自在に接続される。すなわち、接続部１５０は、筐体１１５（本体部１１０及びカバー１５５）の取り付け面と反対側の面である接続面側に設けられる。
【００５８】
カバー１５５は、本体部１１０の下面側を覆う樹脂製で板状の部材である。カバー１５５は、筐体１１５の下面（接続面）を構成し、カバー１５５の中央には、開口が設けられる。当該開口からは、接続部１５０並びにレバー１６０ａ及び１６０ｂの一端が露出する。
【００５９】
端子１２０ａ及び１２０ｂは、金属製の板状の部材である。端子１２０ａ及び端子１２０ｂの一端は、筐体１１５（本体部１１０）の上面から突出し、引掛シーリングボディ２００と着脱可能に接続される。端子１２０ａ及び１２０ｂの他端は、接続部１５０の側面に設けられた切り欠きを通って接続部１５０の内側に配置される。端子１２０ａ及び１２０ｂの他端は、照明器具のコネクタが接続部１５０に接続された状態において、照明器具のコネクタ内の金属端子と接続される。
【００６０】
係止部材１３０ａ及び１３０ｂは、照明器具を保持する（照明器具を係止させる）ための樹脂製の部材である。係止部材１３０ａ及び１３０ｂは、ねじりばね１７０によって筐体１１５（本体部１１０）の内側から外部に向けて付勢されており、開口１１０ａ及び１１０ｂからそれぞれ筐体１１５の外側に向けて突出している。係止部材１３０ａ及び１３０ｂのうち筐体１１５の外側に位置する部分の端は、傾斜面となっている。
【００６１】
レバー１６０ａ及びレバー１６０ｂは、係止部材１３０ａ及び１３０ｂをねじりばね１７０の弾性力に抗して筐体１１５の内側に移動させるための樹脂製の部材である。ユーザは、レバー１６０ａ及びレバー１６０ｂを操作して係止部材１３０ａ及び１３０ｂを筐体１１５の内側に移動させ、照明器具を照明器具用アダプタ１００から取り外す。このため、レバー１６０ａ及び１６０ｂの一端は、カバー１５５の中央に設けられた開口を通じて筐体１１５の外部に位置する。
【００６２】
レバー１６０ａの係合部１６１ａは、係止部材１３０ａの凹部１３１ａに配置され、これによりレバー１６０ａと係止部材１３０ａとは係合する。レバー１６０ａが筐体１１５の中央部分から外側に向けて引っ張られることで係止部材１３０ａは、筐体１１５の内側に移動する。
【００６３】
レバー１６０ｂの係合部１６１ｂは、係止部材１３０ｂの凹部１３１ｂに配置され、これによりレバー１６０ｂと係止部材１３０ｂとは係合する。レバー１６０ｂが筐体１１５の中央部分から筐体１１５の外側に向けて引っ張られることで係止部材１３０ｂは、筐体１１５の内側に移動する。
【００６４】
ロック部１８０は、上述のように、照明器具用アダプタ１００が引掛シーリングボディ２００に正常に取り付けられた状態において、照明器具用アダプタ１００が引掛シーリングボディ２００から外れないようにロックするための部材である。ロック部１８０は、ロック爪部１８０ａと、バネ用穴１８０ｂと、傾斜面１８０ｃとを備える。ロック部１８０は、樹脂製の部材である。
【００６５】
ロック部１８０のバネ用穴１８０ｂには、コイルばね１９０が挿入される。コイルばね１９０は、一端がバネ用穴１８０ｂ内の壁に当接し、他端がカバー１５５の内側の面に当接することにより、ロック部１８０を下面側から上面側に向けて付勢し、ロック爪部１８０ａを筐体１１５の上面から突出させる。
【００６６】
ロック解除ボタン１４０は、正常に取り付けられた状態の照明器具用アダプタ１００を、引掛シーリングボディ２００から取り外す際に、ロック爪部１８０ａを筐体１１５の内側に向けて移動させる（没入させる）ためのボタンである。ロック解除ボタン１４０は、その一部が筐体１１５の側面に設けられた切り欠き部分を通じて筐体１１５の外側に位置する樹脂製の部材である。
【００６７】
ロック解除ボタン１４０の傾斜面１４０ａと、ロック部１８０の傾斜面１８０ｃとは当接し、摺動可能に配置されている。したがって、ユーザがロック解除ボタン１４０を筐体１１５の内側に押し込むと、ロック解除ボタン１４０の傾斜面１４０ａが、ロック部１８０の傾斜面１８０ｃと摺動する。この結果、コイルばね１９０の付勢力（弾性力）に抗してロック爪部１８０ａ（ロック部１８０）が筐体１１５の上面側から下面側に押し下げられる。
【００６８】
上述のように、正常に取り付けられた状態では、ロック爪部１８０ａが引掛シーリングボディ２００の挿入口２４１の内周面に当接し、照明器具用アダプタ１００と、引掛シーリングボディ２００とはロックされている。
【００６９】
しかしながら、ロック解除ボタン１４０が押されれば、ロック爪部１８０ａが筐体１１５の上面側から下面側に押し下げられるため、ロック爪部１８０ａと挿入口２４１の内周面との当接が解消される。つまり、ユーザは、ロック解除ボタン１４０を押したまま、照明器具用アダプタ１００を引掛シーリングボディ２００に対して取り外し方向（反時計回りの方向）に向けて回動させることができる。
【００７０】
そして、ユーザは、端子１２０ａ及び１２０ｂがそれぞれ引掛シーリングボディ２００の挿入口２３１及び２４１の位置に達するまで照明器具用アダプタ１００を回動させれば、照明器具用アダプタ１００を引掛シーリングボディ２００から取り外すことができる。
【００７１】
［照明器具用アダプタへの照明器具の取り付け方法及び取り外し方法］
次に、照明器具用アダプタ１００への照明器具の取り付け方法について説明する。図５は、照明器具用アダプタ１００への照明器具の取り付け方法及び取り外し方法を説明するための図である。
【００７２】
図５に示される照明器具３００は、器具本体３１０と、光源ユニット３２０ａ及び３２０ｂと、コネクタ３３０と、蓋３４０と、グローブ３５０と、取り付け孔３６０を備える。
【００７３】
器具本体３１０には、光源ユニット３２０ａ及び３２０ｂと、光源ユニット３２０ａ及び３２０ｂに電気的に接続されたコネクタ３３０とが設けられている。また、器具本体３１０の中央部分には、円形の取り付け孔３６０が設けられている。
【００７４】
光源ユニット３２０ａ及び３２０ｂは、それぞれが内部に複数のＬＥＤを有する光源であり、グローブ３５０（下方）に向けて光を発する。
【００７５】
コネクタ３３０は、照明器具用アダプタ１００の接続部１５０に接続されるコネクタであり、配線３３０ａを介して器具本体３１０と接続されている。コネクタ３３０が接続部１５０に接続されることにより、照明器具用アダプタ１００と、照明器具３００とは電気的に接続される。
【００７６】
コネクタ３３０が、接続部１５０に接続されている場合、コネクタ３３０内の金属端子が上述した接続部１５０内の端子１２０ａの他端及び１２０ｂの他端に接続される。さらに端子１２０ａ及び１２０ｂは、引掛シーリングボディ２００内の端子受け部と電気的に接続されている。
【００７７】
したがって、コネクタ３３０が接続部１５０に接続されることによって、引掛シーリングボディ２００から照明器具用アダプタ１００及びコネクタ３３０を通じて光源ユニット３２０ａ及び３２０ｂに電力を供給することができる状態となる。
【００７８】
グローブ３５０は、透光性を有する光学部材であり、グローブ３５０の平面視形状は、角丸矩形状である。グローブ３５０は、器具本体３１０の下面を覆うように器具本体３１０に取り付けられる。
【００７９】
照明器具３００の取り付け方法は、以下の通りである。照明器具用アダプタ１００が引掛シーリングボディ２００に取り付けられた後、ユーザは、取り付け孔３６０に照明器具用アダプタ１００の筐体１１５が挿入されるように器具本体３１０を鉛直方向（天井面に垂直な方向）に押し上げる。このとき、取り付け孔３６０の内周面と、係止部材１３０ａ及び１３０ｂの端部の傾斜面とが当接し、係止部材１３０ａ及び１３０ｂが、ねじりばね１７０の付勢力に抗して筐体１１５の内側に向けて押し込まれる。
【００８０】
係止部材１３０ａ及び１３０ｂが取り付け孔３６０を通過すると、取り付け孔３６０の内周面と、係止部材１３０ａ及び１３０ｂの端部の傾斜面との当接が解消され、係止部材１３０ａ及び１３０ｂが、ねじりばね１７０の付勢力によって筐体１１５の外側に突出する。そうすると、器具本体３１０の取り付け孔３６０の周縁部分が、係止部材１３０ａ及び１３０ｂに係止する。
【００８１】
その後、ユーザは、照明器具用アダプタ１００の接続部１５０にコネクタ３３０を接続し、取り付け孔３６０を下面側から覆う蓋３４０と、グローブ３５０とを装着する。これにより、照明器具用アダプタ１００への照明器具３００の機械的及び電気的な取り付けが完了する。
【００８２】
また、照明器具３００の取り外し方法は、以下の通りである。ユーザは、まず、グローブ３５０と、蓋３４０とを外し、その後、接続部１５０からコネクタ３３０を取り外す。
【００８３】
次に、ユーザは、レバー１６０ａ及び１６０ｂを、それぞれ筐体１１５の中央部分から外側に向けて引くことによって、係止部材１３０ａ及び１３０ｂを筐体１１５の内側に移動させる。これにより、ユーザは、器具本体３１０を照明器具用アダプタ１００から取り外すことができる。
【００８４】
なお、上述のように、ユーザは、ロック解除ボタン１４０を押したまま、照明器具用アダプタ１００を引掛シーリングボディ２００に対して取り外し方向に向けて回動させれば、照明器具用アダプタ１００を引掛シーリングボディ２００から取り外すことができる。
【００８５】
［照明器具用アダプタの特徴構成］
次に、照明器具用アダプタ１００の特徴構成について説明する。照明器具用アダプタ１００は、凸部１８５が設けられていることが特徴である。以下、図６を用いて凸部１８５の機能について説明する。
【００８６】
なお、以下の説明では、筐体１１５が所定の回動量（所定の位置関係）で取り付け部２５０に取り付けられている状態を第１の状態と記載する。第１の状態は、端子１２０ａ及び端子１２０ｂがそれぞれガイド孔２３２及び２４２の終端に達するまで筐体１１５が回動された状態であり、ロック部１８０によって、筐体１１５の回動がロックされている状態である。また、以下の説明では、筐体１１５が上記所定の回動量（所定の位置関係）以外の回動量で取り付け部に取り付けられている状態を第２の状態と記載する。
【００８７】
図６は、第１の状態と、第２の状態とのそれぞれにおいて、筐体１１５と取り付け部２５０とを合わせて（一体として）平面視したときの外形を説明するための図である。図６の（ａ）及び（ｂ）は、いずれも照明器具用アダプタ１００を下面側から平面視した図であり、図６の（ａ）は第２の状態を、図６の（ｂ）は第１の状態をそれぞれ示す図である。
【００８８】
上述のように、筐体１１５の平面視形状は、円形の一部が外側に突出した形状であり、取り付け部２５０の平面視形状は、円形の一部が外側に突出した形状であって、筐体１１５の平面視形状と略同一である。
【００８９】
ここで、筐体１１５の平面視形状のうちの外側に突出した一部（凸部１８５に相当する部分）と、取り付け部２５０の平面視形状のうちの外側に突出した一部（凸部２８５に相当する部分）との位置関係は、筐体１１５の回動に応じて変化する。
【００９０】
例えば、図６の（ａ）では、第２の状態の一例として、端子１２０ａ及び１２０ｂがそれぞれ挿入口２３１及び挿入口２４１に挿入されたまま筐体１１５が回動されていない状態が図示されている。
【００９１】
図６の（ａ）に示されるように、第２の状態における、筐体１１５と取り付け部２５０とを合わせて平面視したときの外形である全体外形は、円形状に、当該円形状の中心から外側に向けて突出した２つの凸部が設けられた形状５２０となる。なお、全体外形とは、言い換えれば、筐体１１５と取り付け部２５０とを一体として平面視したときの輪郭であり、係止部材１３０ａ及び１３０ｂの形状は、全体外形には含まれない。
【００９２】
これに対し、図６の（ｂ）では、端子１２０ａ及び端子１２０ｂがそれぞれガイド孔２３２及び２４２の終端に達するまで筐体１１５が回動された第１の状態が図示されている。図６の（ｂ）に示されるように、第１の状態では、下面側から平面視した場合、筐体１１５の凸部１８５は、取り付け部２５０の凸部２８５と重なり、取り付け部２５０の凸部２８５は、視認することができない。すなわち、第１の状態において、筐体１１５の平面視形状と、取り付け部２５０の平面視形状とは一致する。
【００９３】
図６の（ｂ）に示されるように、第１の状態における、筐体１１５と取り付け部２５０とを一体として平面視したときの外形である全体外形は、円形状の一部が外側に向けて突出した形状５１０となり、上述の形状５２０とは異なる。
【００９４】
以上、図６を用いて説明したように、照明器具用アダプタ１００では、全体外形は、第１の状態と第２の状態とで異なる。したがって、ユーザは、視覚を通じて照明器具用アダプタ１００の引掛シーリングボディ２００への取り付けが不完全であることを認識することができる。つまり、照明器具用アダプタ１００が引掛シーリングボディ２００に不完全な状態で取り付けられていることをユーザが気づきやすい。
【００９５】
また、実施の形態１では、器具本体３１０の取り付け孔３６０は、形状５２０に合った形状であり、第２の状態の筐体１１５及び取り付け部２５０は、取り付け孔３６０に挿入不可能である。以下、図７を用いて器具本体３１０の取り付け孔３６０の構成について説明する。
【００９６】
図７は、器具本体３１０（照明器具３００）の取り付け孔３６０部分の詳細構成を説明するための斜視図である。なお、図７では、器具本体３１０の取り付け孔３６０以外の部分については、簡略化されている。
【００９７】
図７に示されるように、器具本体３１０は、筒状部３７０を有し、取り付け孔３６０は、筒状部３７０によって形成される。言い換えれば、筒状部３７０は、取り付け孔３６０の形状に応じた筒状に構成されている。具体的には、筒状部３７０は、円筒部３７０ａと、溝部３７０ｂとからなり、溝部３７０ｂは、第１の状態において重なった凸部１８５及び２８５が挿入される溝を形成する。
【００９８】
つまり、取り付け孔３６０の平面視形状は、第１の状態の全体外形である形状５１０と略同一の形状である。なお、取り付け孔３６０の形状は、実際には、第１の状態の筐体１１５及び取り付け部２５０を挿入できるように、形状５１０よりもわずかに大きい形状となる。
【００９９】
したがって、図７に示されるように、第１の状態の照明器具用アダプタ１００及び引掛シーリングボディ２００（筐体１１５及び取り付け部２５０）には、器具本体３１０（照明器具３００）を取りつけることができる。つまり、第１の状態の筐体１１５及び取り付け部２５０の全体外形は、取り付け孔３６０に挿入可能な形状である。
【０１００】
一方で、第２の状態の照明器具用アダプタ１００及び引掛シーリングボディ２００（筐体１１５及び取り付け部２５０）に、器具本体３１０を取り付ける場合、挿入の途中で取り付け部２５０の凸部２８５が筒状部３７０に当接する。したがって、第２の状態の照明器具用アダプタ１００及び引掛シーリングボディ２００（筐体１１５及び取り付け部２５０）には、器具本体３１０を取り付けることができない。言い換えれば、第２の状態の筐体１１５及び取り付け部２５０の全体外形は、取り付け孔３６０に挿入不可能な形状である。
【０１０１】
このように、実施の形態１では、第１の状態における全体外形は、取り付け孔３６０に挿入可能な形状であり、第２の状態における全体外形は、取り付け孔３６０に挿入不可能な形状である。
【０１０２】
したがって、ユーザは、照明器具用アダプタ１００の引掛シーリングボディ２００への取り付けが不完全である場合には、器具本体３１０を取り付けることができないため、取り付けが不完全であることに気づくことができる。
【０１０３】
また、凸部１８５及び２８５が溝部３７０ｂ（溝）にはまり込むため、器具本体３１０の照明器具用アダプタ１００に対する回動が規制される。これにより、器具本体３１０が照明器具用アダプタ１００に対して何度も回転することにより配線３３０ａがねじ切れることを防止することができる。
【０１０４】
なお、筒状部３７０のうちの溝部３７０ｂの側面には、器具本体３１０ａを照明器具用アダプタ１００に対して回動させるために、重なった凸部１８５及び２８５を回動方向の移動を許容する開口部が設けられてもよい。図８、図９、及び図１０は、筒状部３７０の側面に開口部が設けられた器具本体を示す図である。
【０１０５】
図８に示される器具本体３１０ａは、筒状部３８０を有し、筒状部３８０は、円筒部３８０ａと、溝部３８０ｂとからなる。そして、筒状部３８０の溝部３８０ｂを含む側面には、溝部３８０ｂよりも幅が広い開口部３９０が設けられている。なお、ここでの幅は、図８のＸ方向における幅を意味する。なお、開口部３９０の幅は、中心角において１５度程度に相当する幅であるが、このような幅に限定されない。
【０１０６】
また、図９に示されるように、器具本体３１０ａが照明器具用アダプタ１００に取りつけられた状態においては、開口部３９０は、重なった状態の凸部１８５及び２８５を外部に露出させる。言い換えれば、重なった状態の凸部１８５及び２８５は、開口部３９０を通じて器具本体３１０ａの外部に露出している。
【０１０７】
上述のように、開口部３９０の幅は、溝部３８０ｂの幅よりも広いため、開口部３９０の幅に応じて、重なった凸部１８５及び２８５の回動方向の移動が許容される。したがって、器具本体３１０ａを照明器具用アダプタ１００に対して回動させることができる。例えば、図１０に示されるように照明器具用アダプタ１００に対し器具本体３１０ａを右側（図１０のＸ方向＋側）に向けて回動させることができる。これにより、ユーザは、照明器具用アダプタ１００に対する器具本体３１０ａの位置を調整することができる。
【０１０８】
以上説明したように、実施の形態１に係る照明器具用アダプタ１００及び引掛シーリングボディ２００においては、全体外形は、第１の状態（正常に取り付けられているとき）と、第２の状態（正常に取り付けられていないとき）とで異なる。また、実施の形態１では、器具本体３１０の取り付け孔３６０は、第１の状態である場合のみ、取り付け孔３６０に挿入可能である。
【０１０９】
したがって、実施の形態１に係る照明器具用アダプタ１００を用いた場合、不完全な状態で取り付けられていることをユーザが気づきやすい。
【０１１０】
なお、実施の形態１では、溝部３８０ｂが形成する溝の周方向の幅は、一定であるが必ずしも一定でなくてもよい。溝部３８０ｂが形成する溝の周方向の最小幅が、第１の状態の筐体１１５の凸部１８５及び取り付け部２５０の凸部２８５の周方向の最大幅と略同一であれば、第１の状態の筐体１１５及び取り付け部２５０を溝部３８０ｂに挿入することが可能である。
【０１１１】
（実施の形態２）
実施の形態１で説明した器具本体３１０ａには、円筒部３８０ａと、溝部３８０ｂとからなる筒状部３８０が設けられたが、溝部３８０ｂは、省略することが可能である。実施の形態２では、溝部３８０ｂが省略され、円筒部のみを備える器具本体（照明器具）について主に説明する。なお、以下の実施の形態２では、実施の形態１と実質的に同様の構成については、説明を省略する。
【０１１２】
図１１は、筒状部３８０のうち円筒部のみを備える器具本体を示す図である。図１１に示される器具本体３１０ｂは、円形の取り付け孔を形成する円筒部３８０ａを有する。円筒部３８０ａには、一方の端から他方の端に向けて第１の状態の筐体１１５ａ及び取り付け部２５０ａが挿入される。ここで、器具本体３１０ｂには、図８〜図１０で図示した溝部３８０ｂは設けられていない。
【０１１３】
しかしながら、円筒部３８０ａには、第１の状態の凸部１８５ａ及び凸部２８５ａが挿入される、一方の端から切り欠かれた切り欠き部３９５が設けられている。ここで円筒部３８０ａの一方の端とは、円筒部３８０ａのうち、器具本体３１０ｂが照明器具用アダプタ１００ａに取り付けられた状態における天井側（図１１におけるＺ方向の＋側）の端を意味する。
【０１１４】
そして、切り欠き部３９５の他方の端には、切り欠き部３９５よりも周方向の幅が広い開口部３９０が連結されている。すなわち、円筒部３８０ａには、さらに、切り欠き部３９５の他方の端に連結され、周方向の幅が切り欠き部３９５よりも広い開口部３９０が設けられる。ここで、円筒部３８０ａの他方の端とは、円筒部３８０ａのうち、器具本体３１０ｂが照明器具用アダプタ１００ａに取り付けられた状態における床面側（図１１におけるＺ方向の−側）の端を意味する。
【０１１５】
また、周方向とは、円筒部３８０ａの円周方向を意味する。なお、周方向の幅は、言い換えれば、図１１におけるＸ方向における幅である。
【０１１６】
このように、取り付け孔３６０の形状と、第１の状態における全体外形が一致しない場合であっても、第１の状態における全体外形は、取り付け孔３６０に挿入可能な形状であるといえる。また、この場合であっても、第２の状態における全体外形は、取り付け孔３６０に挿入不可能な形状である。
【０１１７】
そして、開口部３９０の幅は、溝部３８０ｂの幅よりも広いため、開口部３９０の幅に応じて、重なった凸部１８５ａ及び２８５ａの回動方向の移動が許容される。したがって、器具本体３１０ｂを照明器具用アダプタ１００ａに対して回動させることができる。
【０１１８】
また、実施の形態２に係る照明器具では、器具本体３１０ｂの照明器具用アダプタ１００ａ（引掛シーリングボディ２００ａ）への着脱を容易にするように、切り欠き部３９５、並びに凸部１８５ａ及び２８５ａが構成されている。
【０１１９】
図１２は、図１１の開口部３９０付近の拡大図である。器具本体３１０ｂの取り付け時においては、器具本体３１０ｂは、図１２における下方（Ｚ方向の−側）から上方（Ｚ方向の＋側）に押し上げられる。このとき、重なった状態の凸部１８５ａ及び２８５ａは、図１２における上方から下方に向けて（Ｚ軸方向の＋側から−側に向けて）切り欠き部３９５に挿入される。
【０１２０】
ここで、図１２に示されるように、切り欠き部３９５の端部３９５ａ（図１２のＺ方向＋側の端部）は、切り欠き部３９５の端部３９５ｂの側（図１２のＺ方向−側）に向かうにつれて幅が狭くなるテーパ状となっている。
【０１２１】
そして、取り付け部２５０ａに取り付けられた筐体１１５ａの凸部を側方から見た場合の形状は、取り付け部２５０ａと反対の方向（図１２のＺ方向−側）に向かう凸形状である。具体的には、筐体１１５ａの凸部１８５ａを側方から見た場合の形状は、１つの頂点が取り付け部２５０ａと反対の方向に向かう五角形である。
【０１２２】
ここで、凸形状とは、言い換えれば、筐体１１５ａの凸部１８５ａを側方から見た場合に、筐体１１５の取り付け面（取り付け部２５０ａの主面と対向する面）から離れるにつれて周方向の幅（≒図１２のＸ方向の幅）が狭くなる部分を有する形状である。なお、凸部１８５ａを側方から見た場合の凸形状は、取り付け部２５０ａと反対の方向に向かうにつれて幅が狭くなる形状であってもよい。
【０１２３】
このような構成により、器具本体３１０ｂの照明器具用アダプタ１００ａへの取り付け時に、ユーザは、重なった状態の凸部１８５ａ及び２８５ａを容易に切り欠き部３９５に挿入することができる。
【０１２４】
さらに、図１２に示されるように、切り欠き部３９５の端部３９５ｂ（図１２のＺ方向−側の端部）は、端部３９５ａの側（図１２のＺ方向＋側）に向かうにつれて幅が狭くなるテーパ状となっている。
【０１２５】
そして、天井に取り付けられた取り付け部２５０ａの凸部２８５ａを側方から見た場合の形状は、天井に向かう凸形状である。具体的には、取り付け部２５０ａの凸部２８５ａを側方から見た場合の形状は、頂角が天井側に位置する二等辺三角形である。つまり、取り付け部２５０ａの凸部２８５ａの凸形状は、天井に向かうにつれて幅が狭くなる形状である。
【０１２６】
ここで、凸形状とは、言い換えれば、取り付け部２５０ａの凸部２８５ａを側方から見た場合に、取り付け部２５０の主面（筐体１１５ａの取り付け面と対向する面）から離れるにつれて周方向の幅（≒図１２のＸ方向の幅）が狭くなる形状である。
【０１２７】
このような構成により、器具本体３１０ｂを照明器具用アダプタ１００ａから取り外すときに、ユーザは、重なった状態の凸部１８５ａ及び２８５ａを容易に切り欠き部３９５から引き抜くことができる。
【０１２８】
また、さらに、図１２に示されるように、器具本体３１０ｂ及び取り付け部２５０ａを側方から見た場合、取り付け部２５０ａの凸部１８５ａの凸形状の頂点２８５ｂ（二等辺三角形の頂角）は、切り欠き部３９５の端部３９５ｂ側の端の幅によって規定される幅３９５ｃの範囲内に位置する。すなわち、器具本体３１０ｂを照明器具用アダプタ１００ａに対して回動させた場合であっても、頂点２８５ｂのＸ方向の位置は、幅３９５ｃで規定される範囲内となる。
【０１２９】
これにより、器具本体３１０ｂを照明器具用アダプタ１００ａから取り外すときには、重なった状態の凸部１８５ａ及び２８５ａが頂点２８５ｂから切り欠き部３９５に導入される。このため、ユーザは、重なった状態の凸部１８５ａ及び２８５ａを、さらに容易に切り欠き部３９５から引き抜くことができる。
【０１３０】
以上説明したように、実施の形態２に係る器具本体３１０ｂ、照明器具用アダプタ１００ａ、及び引掛シーリングボディ２００ａによれば、ユーザは、より簡単に器具本体３１０ｂを照明器具用アダプタ１００ａ及び引掛シーリングボディ２００ａに取り付けることができる。また、ユーザは、より簡単に器具本体３１０ｂを照明器具用アダプタ１００ａ及び引掛シーリングボディ２００ａから取り外すことができる。
【０１３１】
なお、切り欠き部３９５の形状は、図１２に示されるような形状に限定されるものではない。図１３は、別の形状の切り欠き部を示す図である。
【０１３２】
図１３に示されるように、円筒部３８０ｃに設けられた切り欠き部３９６の端部３９６ａは、端部３９６ｂの側に向かうにつれて幅が狭くなるテーパ状となっている。また、切り欠き部３９６の端部３９６ｂは、端部３９６ａの側に向かうにつれて幅が狭くなるテーパ状となっており、このテーパ状は、端部３９６ａまで続いている。
【０１３３】
また、切り欠き部３９６の端部３９６ｂ側の端の周方向の幅は、開口部３９０の天井側の端における周方向の幅と同一である。つまり、開口部３９０は、切り欠き部３９６の端部３９６ｂに連結され、周方向の幅が切り欠き部３９６の周方向の幅以上である。 
【０１３４】
そして、切り欠き部３９６の周方向の最小幅は、第１の状態の筐体１１５ａの凸部１８５ａ及び取り付け部２５０ａの凸部２８５ａの周方向の最大幅と略同一である。
【０１３５】
また、器具本体３１０ｃ及び取り付け部２５０ａを側方から見た場合、重なった状態の凸部１８５ａ及び２８５ａは、切り欠き部３９６の端部３９６ｂ側の端の幅３９６ｃによって規定される範囲内に位置する。すなわち、器具本体３１０ｃを照明器具用アダプタ１００ａに対して回動させた場合であっても、重なった状態の凸部１８５ａ及び２８５ａのＸ方向の位置は、幅３９６ｃで規定される範囲内となる。
【０１３６】
これにより、側方から見た場合の凸部１８５ａが凸形状でなくとも、器具本体３１０ｃを照明器具用アダプタ１００ａから取り外すときには、重なった状態の凸部１８５ａ及び２８５ａが切り欠き部３９６に導入される。このため、ユーザは、重なった状態の凸部１８５ａ及び２８５ａを、容易に切り欠き部３９６から引き抜くことができる。
【０１３７】
（その他の実施の形態）
以上、実施の形態に係る照明器具用アダプタ、照明器具、及び引掛シーリングボディについて説明したが、本発明は、上記実施の形態に限定されるものではない。
【０１３８】
上記実施の形態では、照明器具用アダプタ及び引掛シーリングボディに凸部を設ける例について説明したが、照明器具用アダプタ及び引掛シーリングボディに凹部が設けられてもよい。図１４は、凸部に代えて凹部が設けられた照明器具用アダプタと、これに対応する取り付け孔が設けられた器具本体（照明器具）を示す図である。なお、図１４では、器具本体の取り付け孔以外の部分については、簡略化されている。
【０１３９】
図１４の（ａ）に示されるよう照明器具用アダプタ４００では、筐体１２５に、凸部に代えて凹部４８５が設けられている。したがって、筐体１２５の平面視形状は、円形の一部が内側に凹んだ形状である。
【０１４０】
また、図示されないが、照明器具用アダプタ４００に対応した引掛シーリングボディの取り付け部にも、同様の凹部が設けられる。つまり、この引掛シーリングボディの取り付け部の平面視形状は、円形の一部が内側に凹んだ形状である。
【０１４１】
そして、筐体１２５の平面視形状のうちの内側に凹んだ一部と、取り付け部の平面視形状のうちの内側に凹んだ一部との位置関係は、筐体１２５の引掛シーリングボディに対する回動に応じて変化する。よって、全体外形は、第１の状態と第２の状態とで異なることとなる。
【０１４２】
また、図１４の（ｂ）に示されるように、器具本体４１０は、照明器具用アダプタ４００の筐体１２５の外形と略同一の形状の取り付け孔４６０が設けられている。よって、第１の状態においては、筐体１２５の平面視形状のうちの内側に凹んだ一部と、取り付け部の平面視形状のうちの内側に凹んだ一部とが平面視した場合に重なる場合のみ、器具本体４１０を、照明器具用アダプタ４００に取り付けることが可能となる。
【０１４３】
なお、凹部を設ける構成の照明器具用アダプタ４００は、互換性が高いことも特徴の一つである。凸部を設ける構成の照明器具用アダプタ１００には、これに対応した取り付け孔を有する器具本体３１０のみが取り付け可能である。従来の円形の取り付け孔を有する器具本体は、凸部が干渉するために凸部を設ける構成の照明器具用アダプタ１００には取り付けることができない。
【０１４４】
これに対し、凹部を設ける照明器具用アダプタ４００には、凹部が干渉することはないため、従来の円形の取り付け孔を有する器具本体を取り付けることも可能である。このように、凹部を設ける構成の照明器具用アダプタ４００は、凸部を設ける構成の照明器具用アダプタ１００よりも互換性が高い。
【０１４５】
このように、凸部に代えて凹部が設けられた照明器具用アダプタ４００も、本発明に含まれる。
【０１４６】
また、上記実施の形態では、筐体の平面視形状と、取り付け部の平面視形状とは略一致するとして説明したが、筐体の平面視形状と、取り付け部の平面視形状とは異なってもよい。
【０１４７】
図１５は、筐体の平面視形状と、取り付け部の平面視形状とが異なる場合の一例を示す模式図である。図１５の（ａ）は、第２の状態における、筐体の平面視形状５３０ａと、取り付け部の平面視形状５３０ｂとを筐体側から見た模式図である。図１５の（ｂ）は、第１の状態における、筐体の平面視形状５３０ａと、取り付け部の平面視形状５３０ｂとを筐体側から見た模式図である。図１５の（ｃ）は、図１５に示される筐体及び取り付け部に対応する取り付け孔５３０ｃが設けられた器具本体５３０ｄを平面視した図である。
【０１４８】
図１５に示される取り付け部の平面視形状５３０ｂは、筐体の平面視形状５３０ａよりも一回り小さく、筐体１１５の平面視形状ａと、取り付け部の平面視形状５３０ｂとは異なる。
【０１４９】
しかしながら、図１５の（ａ）に示される第２の状態では、筐体及び取り付け部を取り付け孔５３０ｃに挿入できない。そして、図１５の（ｂ）に示される第１の状態では、平面視形状５３０ｂが平面視形状５３０ｂの内側に位置するため、筐体及び取り付け部を取り付け孔５３０ｃに挿入することができる。
【０１５０】
つまり、筐体の平面視形状と、取り付け部の平面視形状とが異なる場合も、本発明に含まれる。
【０１５１】
また、上記実施の形態では、第１の状態においては、筐体の凸部と取り付け部の凸部とが重なる構成であったが、第１の状態において必ずしも筐体の凸部と取り付け部の凸部とが重なる必要はない。第１の状態において筐体及び取り付け部を取り付け孔に挿入することができ、第２の状態において筐体及び取り付け部を取り付け孔に挿入することができない構成であればよい。
【０１５２】
また、筐体及び取り付け部の平面視形状は、円形状の一部が外側に突出した形状（または内側に凹んだ形状）に限定されるものではない。例えば、筐体及び取り付け部の平面視形状は、矩形であってもよい。
【０１５３】
図１６は、平面視形状が矩形の筐体及び取り付け部を示す模式図である。図１６の（ａ）は、第２の状態における、筐体の平面視形状５４０ａと、取り付け部の平面視形状５４０ｂとを筐体側から見た模式図である。図１６の（ｂ）は、第１の状態における、筐体の平面視形状５４０ａと、取り付け部の平面視形状５４０ｂとを筐体側から見た模式図である。図１６の（ｃ）は、図１６に示される筐体及び取り付け部に対応する取り付け孔５４０ｃが設けられた器具本体５４０ｄを平面視した図である。
【０１５４】
図１６に示されるように、平面視形状が矩形の筐体及び取り付け部においても、第１の状態のみ筐体及び取り付け部を器具本体５４０ｄの取り付け孔５４０ｃに挿入できるような構成とすることが可能である。
【０１５５】
また、本発明は、照明器具用アダプタと、これに接続される器具本体とを備える照明器具（または照明器具セット）として実現されてもよい。また、本発明は、照明器具用アダプタと、器具本体と、引掛シーリングボディとを備える照明器具セットとして実現されてもよい。
【０１５６】
この場合、照明器具の光源は、基板上にＬＥＤチップを直接実装した、ＣＯＢ（Ｃｈｉｐ  Ｏｎ  Ｂｏａｒｄ）型の光源であってもよい。また、照明器具の光源は、表面実装型（ＳＭＤ：Ｓｕｒｆａｃｅ  Ｍｏｕｎｔ  Ｄｅｖｉｃｅ）のＬＥＤ素子を用いた光源であってもよい。なお、表面実装型のＬＥＤ素子とは、樹脂成型されたキャビティの中にＬＥＤチップを実装して当該キャビティ内に蛍光体含有樹脂を封入したパッケージ型のＬＥＤ素子である。
【０１５７】
また、照明器具の光源は、ＬＥＤを使用するものに限定されず、いわゆる蛍光灯であってもよいし、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子を用いた光源であってもよい。
【０１５８】
以上、一つまたは複数の態様に係る照明器具用アダプタについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【０１５９】
１００、１００ａ、４００  照明器具用アダプタ
１１０  本体部
１１５、１１５ａ、１２５  筐体
１２０ａ、１２０ｂ  端子
１３０ａ、１３０ｂ  係止部材
１３１ａ、１３１ｂ  凹部
１４０  ロック解除ボタン
１４０ａ、１８０ｃ  傾斜面
１５０  接続部
１５５  カバー
１６０ａ、１６０ｂ  レバー
１６１ａ、１６１ｂ  係合部
１７０  ねじりばね
１８０  ロック部
１８０ａ  ロック爪部
１８０ｂ  バネ用穴
１８５、１８５ａ、２８５、２８５ａ  凸部
１９０  コイルばね
２００、２００ａ  引掛シーリングボディ
２１０  ボディ
２２０ａ、２２０ｂ  ねじ孔
２３０、２４０  端子挿入孔
２３１、２４１  挿入口
２３２、２４２  ガイド孔
２４５  本体部
２５０、２５０ａ  取り付け部
２８５ｂ  頂点
３００  照明器具
３１０、３１０ａ、３１０ｂ、３１０ｃ、４１０、５３０ｄ、５４０ｄ  器具本体
３２０ａ、３２０ｂ  光源ユニット
３３０  コネクタ
３３０ａ  配線
３４０  蓋
３５０  グローブ
３６０、４６０、５３０ｃ、５４０ｃ  取り付け孔
３７０、３８０  筒状部
３７０ａ、３８０ａ、３８０ｃ  円筒部
３７０ｂ、３８０ｂ  溝部
３９０  開口部
３９５、３９６  切り欠き部
３９５ａ、３９５ｂ、３９６ａ、３９６ｂ  端部
３９５ｃ、３９６ｃ  幅
４８５  凹部
５１０、５２０  形状
５３０ａ、５３０ｂ、５４０ａ、５４０ｂ  平面視形状
【図１】
2015097165.tif 000003
【図２】
2015097165.tif 000004
【図３】
2015097165.tif 000005
【図４】
2015097165.tif 000006
【図５】
2015097165.tif 000007
【図６】
2015097165.tif 000008
【図７】
2015097165.tif 000009
【図８】
2015097165.tif 000010
【図９】
2015097165.tif 000011
【図１０】
2015097165.tif 000012
【図１１】
2015097165.tif 000013
【図１２】
2015097165.tif 000014
【図１３】
2015097165.tif 000015
【図１４】
2015097165.tif 000016
【図１５】
2015097165.tif 000017
【図１６】
2015097165.tif 000018